【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
複数のフレームを有するビデオシーケンスから少なくとも２つのフレームを選択するステップと、
前記選択されたフレームの各々における少なくとも１つの対象オブジェクトのトータルエリアを判別するステップと、
各トータルエリアを閾値エリアと比較するステップと、
前記閾値エリアを超えるトータルエリアを有する選択されたフレームの各々を低オブジェクト重み付けフレームとして分類するステップと、
前記閾値エリアを超えないトータルエリアを有する選択されたフレームの各々を高オブジェクト重み付けフレームとして分類するステップと、
各低オブジェクト重み付けフレームを第１の符号化モードに従って符号化すると共に各高オブジェクト重み付けフレームを異なる符号化モードに従って符号化するステップと、
を含む、方法。
【請求項２】
フレーム内のどのマクロブロックが前記少なくとも１つの対象オブジェクトを含むかを判別するステップと、
前記少なくとも２つのフレームの各々について当初ＱＰを決定するステップと、
前記低オブジェクト重み付けフレームについては、前記当初ＱＰにオフセットを与えるステップと、
前記オフセットを与えるステップに応じて、前記少なくとも１つの対象オブジェクトに含まれている前記マクロブロックへのビット割り当てを増大するステップと、
を含む、請求項１記載の方法。
【請求項３】
連続する高オブジェクト重み付けフレームについてフレームにおけるテンポラルマスキング効果の量（ΔＱＰMasking）からフレーム毎のＱＰオフセット寄与を判定するステップと、
前記ΔＱＰMaskingをフレームタイプから得られたＱＰオフセット寄与（ΔＱＰType）に組み合わせるステップと、
連続する高オブジェクト重み付けフレームを、前記フレームタイプから得られたＱＰオフセット寄与（ΔＱＰType）に組み合わされた計算済みΔＱＰMaskingを使用することによって得られるビットレートを使用して符号化するステップと、
を含む、請求項１記載の方法。
【請求項４】
連続する高オブジェクト重み付けフレームに関するフレーム複雑度を計算するステップと、
連続する高オブジェクト重み付けフレームの各ＧＯＰについてＧＯＰ範囲及びＧＯＰ符号化パターンに基づいてフレームタイプを選択するステップと、
フレームタイプに基づいてフレーム毎のＱＰオフセット寄与（ΔＱＰType）を計算するステップと、
をさらに含む、請求項３記載の方法。
【請求項５】
全ての高オブジェクト重み付けフレームについての平均ΔＱＰMaskingを計算するステップと、
ΔＱＰMaskingを正規化するステップと、
最終的なフレーム毎のΔＱＰを計算するステップと、
をさらに含む、請求項４記載の方法。
【請求項６】
前記計算された最終的なフレーム毎のΔＱＰを用いて、割り当てられるビット量及びレート制御量を計算するステップ（１１２）をさらに含む、請求項５記載の方法。
【請求項７】
前記フレームにおけるテンポラルマスキング効果の量（ΔＱＰMasking）からフレーム毎のＱＰオフセット寄与を計算するステップ（１０６）は、ΔＱＰMasking（ｎ）＝ａ・ＣｏｍｐｌMasking（ｎ）を使用して実行され、ＣｏｍｐｌMasking（ｎ）は、高オブジェクト重み付けフレームの所定サイズのウインドウにおける現在のフレームに隣接する複数のフレームの平均として計算されたフレームのテンポラルマスキング複雑度を含む、請求項３記載の方法。
【請求項８】
高オブジェクト重み付けフレームについて各フレームのフレーム複雑度を計算する前記ステップは、順方向フレーム間予測を使用して実行される、請求項４記載の方法。
【請求項９】
フレーム内のどのマクロブロックが前記少なくとも１つの対象オブジェクトを含むかを判定するステップと、
前記少なくとも２つのフレームの各々について当初ＱＰを決定するステップと、
前記低オブジェクト重み付けフレームの前記当初ＱＰにオフセットを与えるステップであって、これにより、前記少なくとも１つの対象オブジェクトに含まれる前記マクロブロックへのビット割り当てが増加する、ステップと、
を含む、請求項３記載の方法。
【請求項１０】
フレーム内のどのマクロブロックが前記少なくとも１つの対象オブジェクトを含むかを判定するステップと、
前記少なくとも２つのフレームの各々について当初ＱＰを決定するステップと、
前記低オブジェクト重み付けフレームの前記当初ＱＰにオフセットを与えるステップであって、これにより、前記少なくとも１つの対象オブジェクトに含まれる前記マクロブロックへのビット割り当てが増加する、ステップと、
を含む、請求項４記載の方法。
【請求項１１】
前記低オブジェクト重み付けフレームについてオリジナルのマクロブロック画素と２つ以上の符号化モードの符号化されたマクロブロック画素との間の絶対値差合計（ＳＡＤ）を判定するステップと、
前記低オブジェクト重み付けフレームについての絶対値差合計判定ステップにおける少なくとも１つの他の符号化モードよりも小さな絶対値差合計を有する符号化モードを選択するステップと、
当該選択するステップで選択されたそれぞれの符号化モードに従って前記低オブジェクト重み付けフレームを符号化するステップと、
を含む、請求項１記載の方法。
【請求項１２】
前記絶対値差合計判定ステップにおいてエンコーダ重みアレイを適用して、前記オブジェクトの画素にオブジェクトではない画素よりも大きな重みが割り当てられるようにするステップを含む、請求項１１記載の方法。
【請求項１３】
ビデオシーケンスを符号化するエンコーダであって、
ビデオフレームにおける対象オブジェクトのエリアを判定する手段と、
モード選択閾値エリアを設定する手段と、
複数のフレームについて前記オブジェクトのエリアを前記閾値エリアと比較する手段と、
前記比較する手段に応答して符号化モードを選択する手段であって、異なるフレームについて異なる符号化モードを選択するように適合される、前記選択する手段と、
符号化手段であって、前記異なるフレームを前記異なる符号化モードで符号化するように適合される、前記符号化手段と、
を含む、前記エンコーダ。
【請求項１４】
前記判定する手段は、前記対象オブジェクトを構成する画素の数を判定し、
前記選択する手段は、前記閾値エリアを越える画素数のエリアを有するフレームについて知覚量子化パラメータオフセット判定を使用し、
前記符号化手段は、前記知覚量子化パラメータオフセット判定に応じた符号化モードで前記フレームを符号化する、請求項１３記載のエンコーダ。
【請求項１５】
前記判定する手段は、前記対象オブジェクトを構成する画素の数を判定し、
前記選択する手段は、ナイーブＱＰオフセット判定を使用し、前記選択する手段は、前記閾値を超えない画素数のエリアを有する少なくとも２つのフレームの各々について当初ＱＰを決定し、前記少なくとも２つのフレームについてオフセットを前記当初ＱＰに与え、前記オフセットに応答して前記少なくとも１つの対象オブジェクトに含まれるマクロブロックへのビット割り当てを増大させるのに適合し、
前記符号化手段は、前記オフセットに応じた符号化モードで前記閾値フレームを超えない画素数のエリアを有する前記少なくとも２つのフレームを符号化する、請求項１４記載のエンコーダ。
【請求項１６】
前記判定する手段は、前記対象オブジェクトを構成する画素の数を判定し、
前記選択する手段は、ナイーブＱＰオフセット判定を使用し、前記選択する手段は前記閾値を超えない画素数のエリアを有する少なくとも２つのフレームの各々について当初ＱＰを決定し、前記少なくとも２つのフレームについてオフセットを前記当初ＱＰに与え、前記オフセットに応答して前記少なくとも１つの対象オブジェクトに含まれるマクロブロックへのビット割り当てを増大させるのに適合し、
前記符号化手段は、前記オフセットに応じた符号化モードで前記閾値フレームを超えない画素数のエリアを有する前記少なくとも２つのフレームを符号化する、請求項１３記載のエンコーダ。